(57)【要約】【課題】ワイン保存等に好適な冷蔵庫を安価に提供する。【解決手段】内部に貯蔵室を有した冷蔵庫本体と、前記冷蔵庫本体に支持され貯蔵室の開口部を開閉する扉２０と、を備え、前記扉は、透光性の中央板２１とこれの周囲を保持する縁枠５５とで構成し、上記縁枠は額縁状の外板５７と内板５６とを備え、当該外板と内板とで中央板を挟み込み保持する構成とするとともに、前記内板周部の凹部にガスケット保持部材６１を介してガスケット６２を保持した構成としてある。これにより、中央板を保持固定するための主要部品は縁枠の外板と内板だけとなって大幅に削減することができ、しかも上記外板、内板は額縁状であっても安価なインジェクション成形によって製造できるので、部品製造コストも抑制することができる。よって、大幅なコストダウンが可能となる。【選択図】図１９
2018146200.tif 000002
【特許請求の範囲】
【請求項１】
内部に貯蔵室を有する冷蔵庫本体と、前記冷蔵庫本体に支持され前記貯蔵室の開口部を開閉する扉と、を備え、前記扉は、透光性を有する中央板と、前記中央板の周囲を保持する縁枠と、前記縁枠の前記貯蔵室側の面の周囲に配置したガスケットと、を備え、前記縁枠は、前記扉を閉じた状態で前記貯蔵室側に位置する内板と、前記内板とともに前記中央板を挟み込み保持する外板と、を有し、前記内板は前記貯蔵室側の面の周囲部に凹部を備え、前記凹部にガスケット保持部材を介して前記ガスケットを保持した冷蔵庫。
【請求項２】
前記ガスケット保持部材は、前記凹部に保持される凸部と、前記ガスケットを保持するガスケット保持凹部と、を有し、前記ガスケット保持凹部の開口部分にはガスケット抜け防止用リブを設けた請求項１に記載の冷蔵庫。
【請求項３】
前記冷蔵庫本体は、外箱と、前記貯蔵室の壁面を形成する内箱と、前記扉を前記冷蔵庫本体に支持させるヒンジ支持部材とを備え、前記ヒンジ支持部材は前記外箱へ支持ざれ、前記扉は前記内箱を介して前記ヒンジ支持部材に支持される請求項１または２記載の冷蔵庫。
【請求項４】
前記扉は、操作部ユニットと、前記操作部ユニットを挿入するための操作部設置用凹所と、少なくとも前記操作部設置用凹所の反貯蔵室側を覆う透光性を有する前板とを更に有し、前記操作部設置用凹所は、前記扉の貯蔵室側の面に開口する挿入口を有し、前記操作部ユニットは、前記内板に対向する箇所に設けられた入力部と、前記操作部ユニットの上下方向の両端部に設けられ、前記操作部設置用凹所の内壁または前記挿入口を覆う蓋部に当接して、前記入力部を前記前板の貯蔵室側の面に圧接させる押圧片を有する請求項１〜３のいずれか１項に記載の冷蔵庫。
【請求項５】
前記操作部設置用凹所は、前記操作部ユニットの下端部に設けられた押圧片が当接する当接面と、前記挿入口と前記当接面との間に設けられた傾斜面とを有し、前記扉は、前記傾斜面と対向する部分に、前記凹部を有する請求項４に記載の冷蔵庫。
【請求項６】
前記扉の上方に設けられた前記ガスケットは、前記貯蔵室の前記開口部の上縁と、前記操作部ユニットとの間に位置する請求項４または５に記載の冷蔵庫。
【請求項７】
前記中央板は、断熱性ガスを封入した多重構成であり、前記外板と前記内板との間の前記中央板の外周部分に断熱材を設けた請求項１〜６のいずれか１項に記載の冷蔵庫。
【発明の詳細な説明】
【技術分野】
【０００１】
本発明はワイン保存等に好適な冷蔵庫に関するものである。
【背景技術】
【０００２】
一般にワインを収納保存するワイン庫等の冷蔵庫は、内部を目視できるようにその扉は略中央部分をガラス等の透明板で構成してある（例えば、特許文献１参照）。
【０００３】
図３３は上記特許文献１に記載されたワイン庫の扉構成を示し、１０１は窓部１０２を有する扉面材、１０３は扉面材１０１の前面に配した透明板、１０４は透明板１０３の側部に装着したサイド支持部材、１０５、１０６は扉面材１０１及び透明板１０３、サイド支持部材１０４の上下部分に配した上キャップ及び下キャップ、１０７は上記扉面材１０１及び透明板１０３の後面に装着した扉内側板である。
【０００４】
このように構成した扉付のワイン庫は、前記透明板１０３を介して内部を目視することができるので、使い勝手の良いものとなる。
【先行技術文献】
【特許文献】
【０００５】
【特許文献１】特開２０００−３４６５４０号公報
【発明の概要】
【発明が解決しようとする課題】
【０００６】
しかしながら上記特許文献１記載の扉構成では、透明板付きの扉とするために、扉面材１０１と扉内側板１０７のほかに透明板１０３の四片を固定するためのサイド支持部材１０４、上キャップ１０５、下キャップ１０６を必要とする。その上で更に前記扉内側板１０７にガスケットを装着することになる。
【０００７】
このため上記扉構成は多くの部品を必要とし、かつ、組み立て工数も多くなり、コスト的に高くついて、その分ワイン庫が高価なものになりがちであった。
【０００８】
本発明はこのような点に鑑みてなしたもので、扉構成のコストダウンを図って安価な冷蔵庫の提供を可能とすることを目的としたのである。
【課題を解決するための手段】
【０００９】
本発明は上記目的を達成するため、前記扉は、透光性を有する中央板と、前記中央板の周囲を保持する縁枠と、前記縁枠の前記貯蔵室側の面の周囲に配置したガスケットと、を備え、前記縁枠は、前記扉を閉じた状態で前記貯蔵室側に位置する内板と、前記内板とともに前記中央板を挟み込み保持する外板と、を有し、前記内板は前記貯蔵室側の面の周囲部に凹部を備え、前記凹部にガスケット保持部材を介して前記ガスケットを保持した構成としてある。
【００１０】
これにより、中央板を保持固定するための主要部品は縁枠の外板と内板だけとなって大幅に削減することができる。しかも上記外板、内板は安価なインジェクション成形によって製造できるので、部品製造コストも抑制することができる。さらに上記インジェクション成形では形成しがたい内板のガスケット保持構成は、押出し成形可能なガスケット保持部材を装着することによって構成している。ガスケット保持部材を安価な押出し成形によって形成することで、部品点数が一点増えるものの、部品点数増によるコストアップは最小限に抑制できる。したがって、部品点数及び組み立て工数の削減と部品製造コストの削減により大幅なコストダウンが可能となる。
【発明の効果】
【００１１】
本発明は、上記構成によって、扉構成のコストダウンを図って安価な冷蔵庫を提供することができる。
【図面の簡単な説明】
【００１２】
【図１】本発明の実施の形態１における冷蔵庫の外観斜視図
【図２】同冷蔵庫の半裁斜視図
【図３】同冷蔵庫の扉を開けて底面側から見た斜視図断面図
【図４】同冷蔵庫の内箱の斜視図
【図５】同冷蔵庫の内箱側面に設けた庫内照明ユニットの斜視図
【図６】図５のＡ−Ａ断面図
【図７】同冷蔵庫の天井面に設けた庫内照明ユニットの半裁斜視図
【図８】同冷蔵庫の分解斜視図
【図９】同冷蔵庫の壁面ユニットを貯蔵室側から見た分解斜視図
【図１０】同冷蔵庫の壁面ユニットを冷却室側から見た分解斜視図
【図１１】同冷蔵庫の壁面ユニットを冷却室側から見た斜視図
【図１２】図１１のＢ−Ｂ断面図
【図１３】同冷蔵庫の壁面ユニットを貯蔵室側から見た正面図
【図１４】（ａ）同冷蔵庫の壁面ユニットに冷却ファンを装着する前の斜視図、（ｂ）同冷却ファン装着後の壁面ユニットの斜視図
【図１５】同冷蔵庫の壁面ユニットの分解斜視図
【図１６】同冷蔵庫の扉を示す斜視図
【図１７】同冷蔵庫の扉の分解斜視図
【図１８】同冷蔵庫の扉をさらに細かく分解して示す分解斜視図
【図１９】図１６のＣ−Ｃ断面図
【図２０】同冷蔵庫のガスケット取付部分の分解斜視図
【図２１】同冷蔵庫のガスケットと扉とを示す分解斜視図
【図２２】同冷蔵庫の扉のガスケット取付部を示す断面図
【図２３】同冷蔵庫の扉の操作表示部分を示す分解斜視図
【図２４】同冷蔵庫の操作部ユニットの斜視図
【図２５】同冷蔵庫の扉の操作表示部分を示す断面図
【図２６】同冷蔵庫の扉軸支部分を示す分解斜視図
【図２７】（ａ）同冷蔵庫の扉軸支部分の外箱と内箱とを示す分解斜視図、（ｂ）同外箱にヒンジ支持金具を取り付けた状態を示す斜視図、（ｃ）同外箱に内箱を組み込んだ状態を示す斜視図
【図２８】同冷蔵庫の扉のヒンジ取付部分を示す半裁斜視図
【図２９】同冷蔵庫の扉のヒンジ取付部分を拡大して示す半裁斜視図
【図３０】同冷蔵庫の扉下部の軸支部分を底面側から見た斜視図
【図３１】同冷蔵庫の扉下部のヒンジカバーを取り外した状態の軸支部分を示す斜視図
【図３２】同冷蔵庫の扉の下端面部分を示す斜視図
【図３３】従来の冷蔵庫の扉構成を示す分解斜視図
【発明を実施するための形態】
【００１３】
第１の発明は、内部に貯蔵室を有する冷蔵庫本体と、前記冷蔵庫本体に支持され前記貯蔵室の開口部を開閉する扉と、を備え、前記扉は、透光性を有する中央板と、前記中央板の周囲を保持する縁枠と、前記縁枠の前記貯蔵室側の面の周囲に配置したガスケットと、
を備え、前記縁枠は、前記扉を閉じた状態で前記貯蔵室側に位置する内板と、前記内板とともに前記中央板を挟み込み保持する外板と、を有し、前記内板は前記貯蔵室側の面の周囲部に凹部を備え、前記凹部にガスケット保持部材を介して前記ガスケットを保持した構成としてある。
【００１４】
これにより、中央板を保持固定するための主要部品は縁枠の外板と内板だけとなって大幅に削減することができる。しかも上記外板、内板は安価なインジェクション成形によって製造できるので、部品製造コストも抑制することができる。さらに上記インジェクション成形では形成しがたい内板のガスケット保持構成は、押出し成型可能なガスケット保持部材を装着することによって構成している。ガスケット保持部材を安価な押出し成形によって形成することで、部品点数が一点増えるものの、部品点数増によるコストアップは最小限に抑制できる。したがって、部品点数及び組み立て工数の削減と部品製造コストの削減により大幅なコストダウンが可能となる。
【００１５】
第２の発明は、第１の発明において、前記ガスケット保持部材は、前記凹部に保持される凸部と、前記ガスケットを保持するガスケット保持凹部と、を有し、前記ガスケット保持凹部の開口部分にはガスケット抜け防止用リブを設けた構成としてある。
【００１６】
これにより、ガスケット保持部材は縁枠内板の凹部に確実に取り付け固定することができるとともに、ガスケット保持凹部にガスケットを抜け落ちることがないよう強固に固定保持することができ、冷蔵庫本体と扉との間の確実なシール性能を確保することができる。
【００１７】
第３の発明は、第１または第２の発明において、前記冷蔵庫本体は、外箱と、前記貯蔵室の壁面を形成する内箱と、前記扉を前記冷蔵庫本体に支持させるヒンジ支持部材とを備え、前記ヒンジ支持部材は前記外箱へ支持ざれ、前記扉は前記内箱を介して前記ヒンジ支持部材に支持される構成としてある。
【００１８】
これにより、内箱に軸支した扉が外箱に対して傾いたりするのを確実に防止できる。したがって、内箱に扉を支持させるタイプの冷蔵庫であってもその品質を向上させ、かつ、歩留まりも向上させてコストダウンを図ることができ、扉構成のコストダウン効果と合わせて冷蔵庫の大幅なコストダウンが可能となる。
【００１９】
第４の発明は、第１〜第３の発明において、前記扉は、操作部ユニットと、前記操作部ユニットを挿入するための操作部設置用凹所と、少なくとも前記操作部設置用凹所の反貯蔵室側を覆う透光性を有する前板とを更に有し、前記操作部設置用凹所は、前記扉の貯蔵室側の面に開口する挿入口を有し、前記操作部ユニットは、前記内板に対向する箇所に設けられた入力部と、前記操作部ユニットの上下方向の両端部に設けられ、前記操作部設置用凹所の内壁または前記挿入口を覆う蓋部に当接して、前記入力部を前記前板の貯蔵室側の面に圧接させる押圧片を有する構成としてある。
【００２０】
これにより、扉の前方側から前板外面にタッチすることによって温度設定等の操作が可能になるとともに、電極膜を前板に確実に圧接することができ、タッチ操作時の静電容量の検出精度を高め、操作品質を向上させることができる。
【００２１】
第５の発明は、第４の発明において、前記操作部設置用凹所は、前記操作部ユニットの下端部に設けられた押圧片が当接する当接面と、前記挿入口と前記当接面との間に設けられた傾斜面とを有し、前記扉は、前記傾斜面と対向する部分に、前記凹部を有する構成としてある。
【００２２】
これにより、傾斜面後方に生じるデッドスペースをガスケット装着スペースとして有効利用することができ、操作部ユニットとガスケットとをオーバラップさせて設置できる。これによって、設置スペースの小型化を図って、その分中央板を大きくし視認性を上げることができる。
【００２３】
第６の発明は、第４または第５の発明において、前記扉の上方に設けられた前記ガスケットは、前記貯蔵室の前記開口部の上縁と、前記操作部ユニットとの間に位置する構成としてある。
【００２４】
これにより、貯蔵室内と操作部ユニット設置部分との間をガスケットによりシールして貯蔵室内の冷気が操作部ユニット設置背面部分まで流れてこれを冷却するのを防止でき、操作ユニットの過度な冷却による結露発生等の障害を防止し品質の高い冷蔵庫とすることができる。
【００２５】
第７の発明は、第１〜第６の発明において、前記中央板は、断熱性ガスを封入した多重構成であり、前記外板と前記内板との間の前記中央板の外周部分に断熱材を設けた構成としてある。
【００２６】
これにより、扉の断熱性を向上させ、冷却性能の良い冷蔵庫とすることができる。
【００２７】
以下、本発明の実施の形態について、図面を参照しながら説明する。なお、この実施の形態によって本発明が限定されるものではない。
【００２８】
（実施の形態１）
まず図１〜図７を用いて冷蔵庫の全体構成を説明する。
【００２９】
図１は本発明の実施の形態１における冷蔵庫の外観斜視図、図２は同冷蔵庫の半裁斜視図、図３は同冷蔵庫の扉を開けて底面側から見た斜視図断面図、図４は同冷蔵庫の内箱の斜視図、図５は同冷蔵庫の内箱側面に設けた庫内照明ユニットの斜視図、図６は図５のＡ−Ａ断面図、図７は同冷蔵庫の天井面に設けた庫内照明ユニットの半裁斜視図である。
【００３０】
図１〜図７において、本実施の形態の冷蔵庫は、冷蔵庫本体１内に簡易な仕切板２を設けて上下二つの貯蔵室３、４が区画形成してあり、更にこの各貯蔵室３、４内にはワインボトル等を載せる棚５が設置してある。仕切板２は内部に断熱材を有していてもいなくてもよい。
【００３１】
上記冷蔵庫本体１は、図２に示すように、前方を開口する金属製（例えば鉄板）の外箱６と、硬質樹脂製（例えばＡＢＳ製）の内箱７と、これら外箱６と内箱７との間に発泡充填した硬質ウレタン等の発泡断熱材（図示せず）とで構成してある。そして、上記冷蔵庫本体１の開口両側部及び天井面開口部分には、図３に示すように貯蔵室３，４内を照射する照明ユニット８、９が設けてある。
【００３２】
上記照明ユニット８、９のうち両側部に設けた照明ユニット８は、図４〜図６に示すように、内箱７の照明用開口１０の内側に装着した台座１１と、この台座１１に取付けた照明基板１２と、照明基板１２の上下方向に列接したＬＥＤ１３と、ＬＥＤ１３の前面を覆うカバー１４とからなる。
【００３３】
上記カバー１４は断面略Ｌ字状に形成して内箱７の前端面７ａまで回り込んでこれを覆うように形成してある。つまり、カバー１４は、前面カバー部１４ａと側面カバー部１４ｂとを備えている。そして、側面カバー部１４ｂは、図６に示すように、前端面７ａ側と
は反対側に傾斜させて設けた係合リブ１５を有している。カバー１４は、係合リブ１５を台座１１に設けた保持穴１６に圧入することによって取り付けられる。これによってカバー１４はその前面カバー部１４ａが内箱７の前端面７ａに圧接する。
【００３４】
一方、冷蔵庫本体１の天井面開口部分に設けた照明ユニット９は、図７に示すように、冷蔵庫本体１、すなわち内箱７の天井面前端部分に設けた凹部６ａに組み込んで設けてある。なお、この照明ユニット９の台座は天井壁面を構成する如く幅広に形成してある。照明ユニット９のカバーは単純な平面形状である。
【００３５】
また、前記冷蔵庫本体１の各貯蔵室３、４の前面は、回動自在な扉２０によって開閉可能としてある。上記扉２０は、図２に示すように、アルゴンガス等の断熱性ガスを封入した三重のガラス板ユニット等からなる中央板２１を有し、断熱扉として作用しつつ貯蔵室３、４内を外部から目視できるようにしてある。なお、上記扉２０には把手２２が設けてある。
【００３６】
さらに、前記扉２０の上部略中央には前記各貯蔵室３、４の温度の設定と表示を行う操作表示部２３（図８参照）が設けてある。この操作表示部２３は扉２０の前面側からタッチすることによって操作できる。また、操作表示部２３に表示される内容は前方から視認できる。
【００３７】
なお、上記扉２０の詳細構成については後述する。
【００３８】
また、上記冷蔵庫本体１の背面には冷却室２５が設けてある。この冷却室２５には一つの冷却器２６と冷却ファン２７が設置してある。前記冷却器２６は冷却室２５の下部に配置し、冷却ファン２７は冷却器２６の上方に配置してある。
【００３９】
また前記冷却器２６は、冷蔵庫本体１下部の機械室２８に組み込んだ圧縮機２９と、凝縮器（図示せず）と、放熱パイプ（図示せず）と、キャピラリーチューブ（図示せず）と、冷却器２６とで冷凍サイクルを構成し、圧縮された冷媒の蒸発により冷却室２５内で冷気を生成するようになっている。
【００４０】
一方、前記冷却室２５に設けた冷却ファン２７は、冷却室２５で生成した冷気を前記各貯蔵室３、４に供給し、その後冷却室２５に回収して再び各貯蔵室３、４へと循環させるようになっている。
【００４１】
以下、上記冷気の供給構成について図８〜図１５を用い説明する。
【００４２】
図８は冷蔵庫の分解斜視図、図９は同冷蔵庫の壁面ユニットを貯蔵室側から見た分解斜視図、図１０は同冷蔵庫の壁面ユニットを冷却室側から見た分解斜視図、図１１は同冷蔵庫の壁面ユニットを冷却室側から見た斜視図、図１２は図１１のＢ−Ｂ断面図、図１３は同冷蔵庫の壁面ユニットを貯蔵室側から見た正面図、図１４（ａ）は同冷蔵庫の壁面ユニットに冷却ファンを装着する前の斜視図、（ｂ）は同冷却ファン装着後の壁面ユニットの斜視図、図１５は同冷蔵庫の壁面ユニットの分解斜視図である。
【００４３】
上記各貯蔵室３、４へ冷気を供給する風路は、前記各貯蔵室３、４と冷却室２５とを仕切る壁面ユニット３０に形成してある。
【００４４】
壁面ユニット３０は、図９、図１０等に示すように、前記各貯蔵室３、４に面する貯蔵室側壁面板３１と冷却室２５に面する冷却室側壁面板３２とを嵌合して構成してある。
【００４５】
冷却室側壁面板３２には冷却室側の面の前記上側の貯蔵室３（以下、上側貯蔵室と称す）と対向する部分に冷却ファン２７が設けてある。冷却ファン２７はブロアファンのような周方向に送風する多翼ファンである。冷却ファン２７は、回転軸に平行な複数枚の羽根を有する多翼ファン２７ａを、ガイドケース３３で覆って構成してある。ガイドケース３３は、多翼ファン２７ａの冷却室側の面を覆う主面部と、多翼ファン２７ａの回転方向外周を囲む側壁部とを備えている。そして、上記ガイドケース３３の主面部には、吸入開口部３４が設けてある。また、側壁部の上部一箇所に吐出開口部３５が設けてある。
【００４６】
側壁部の主要部分は、多翼ファン２７ａの回転軸を中心とし、回転軸の回転方向にしたがって、径が拡大するアルキメデス螺旋状に設けられている。
【００４７】
また、前記冷却ファン２７の吐出開口部３５にはダンパ装置３６が設けてある。このダンパ装置３６は、図９に示すように、第１開口部３７と第２開口部３８を形成したダンパ枠体３９と、モータ等の駆動源（図示せず）により駆動されて前記各開口を開閉する第１フラップ４０及び第２フラップ４１とを備えている。
【００４８】
上記ダンパ装置３６の第１開口部３７と第２開口部３８は、駆動源を介して隣接して設けてある。第１開口部３７と第２開口部３８は、前記冷却ファン２７の吐出開口部３５に対応して位置している。そして、本実施の形態では図１０、図１１等に示すようにダンパ装置３６のケース４２を前記冷却ファン２７のガイドケース３３の上部に一体形成して、多翼ファン２７ａとダンパ装置３６を覆っている。つまり、冷却ファン２７とダンパ装置３６とを一体化して直結してある。
【００４９】
多翼ファン２７ａの回転軸の回転方向は、図１３に示すように、貯蔵室側から見て反時計周りである。つまり、回転軸は、後述する第１開口部３７側から、第２開口部３８側へと回転する。第１開口部３７は、回転軸の反回転方向に設けられた開口部であり、第２開口部は、回転軸の回転方向に設けられた開口部である。
【００５０】
また、上記冷却ファン２７の回転軸は、前記ダンパ装置３６の開口部のうち前記冷却ファン２７の回転方向側に位置する開口部である第２開口部３８側に偏らせて設けてある。また、上記第１開口部３７に連通する第１吹出風路４７は、第２開口部３８に連通する第２吹出風路４８より長い。
【００５１】
更に、上記冷却ファン２７と、ダンパ装置３６と、ガイドケース３３およびケース４２とは、冷却室側壁面板３２に取り付付けて壁面ユニット３０にユニット化し、壁面ユニット３０を冷蔵庫本体１に取付けることによって組み込み可能としてある。
【００５２】
なお、上記冷却ファン２７のガイドケース３３とダンパ装置３６のケース４２とは別体に構成して後から接続してもよい。
【００５３】
また、前記冷却室側壁面板３２のダンパ装置３６と対向する部分には、ダンパ装置３６の第１開口部３７と第２開口部３８に対応させて第１透孔４３および第２透孔４４がそれぞれ形成してある。
【００５４】
図９に示すように、上記冷却室側壁面板３２と貯蔵室側壁面板３１の相対向する面には風路形成用リブ４５、４６を設けて、第１透孔４３から下側貯蔵室４へ冷気を供給する第１吹出風路４７と、第２透孔４４から上側貯蔵室３へ冷気を供給する第２吹出風路４８を形成している。更に上記冷却室側壁面板３２と貯蔵室側壁面板３１の相対向する面には戻り風路形成用リブ４９を設けて、上側貯蔵室３と下側貯蔵室４との共用の戻り風路５０が設けてある。戻り風路５０は、各貯蔵室３、４に供給された冷気を冷却室２５に戻すため
の風路である。
【００５５】
そして、上記冷却室側壁面板３２の第１吹出風路４７と対向する部分に下吹出口５１ａ、第２吹出風路４８と対向する部分に上吹出口５１ｂが設けてある。更に、下側貯蔵室４と対向する部分に下戻り口５２ａ、上側貯蔵室３と対向する部分に上戻り口５２ｂが形成してある。そして冷却室側壁面板３２の下端部には切欠き開口を形成して戻り風路５０からの冷気を冷却室２５に戻す冷気戻り口５２が設けてある。
【００５６】
つまり、第１吹出風路４７は、一端に第１透孔４３を備え、少なくとも他端に下吹出口５１ａを備えている。第２吹出風路４８は、一端に第２透孔４４を備え、少なくとも他端に上吹出口５１ｂを備えている。
【００５７】
本実施の形態では、上記第１吹出風路４７は図１５に示すように戻り風路５０の略中央部分を通して下側貯蔵室４に冷気を供給するように構成してあり、上戻り口５２ｂは前記第１吹出風路４７の左右両側に分散するように設けてある。換言すると、戻り風路５０は、第１吹出風路４７によって、左右に分断されている。左右に分断された戻り風路５０の端部のそれぞれには、上戻り口５２ｂが設けられている。
【００５８】
また、図１５に示すように、上記第１吹出風路４７と戻り風路５０とが隣接する部分では、第１吹出風路４７を形成する風路形成用リブ４５と、戻り風路５０を形成する戻り風路形成用リブ４９とを隙間をおいて配置している。つまり、それぞれの風路形成用リブの間に空気層である断熱層５４を形成してある。すなわち当該部分は多重壁構成として両者間に断熱層５４が形成される構成としてある。
【００５９】
また、同様に、上記第１吹出風路４７と第２吹出風路４８とが隣接する部分では、第１吹出風路４７を形成する風路形成用リブ４５と、第２吹出風路４８を形成する風路形成用リブ４６とを隙間をおいて配置している。つまり、それぞれの風路形成用リブの間に空気層である断熱層５４を形成してある。
【００６０】
なお、本実施の形態では第１吹出風路４７と戻り風路５０とが隣接する部分の一部のみを多重壁構成としているが、すべての領域において多重壁構成とするのが好ましい。
【００６１】
また、第１吹出風路４７、第２吹出風路４８および戻り風路５０を形成する各風路形成用リブは冷却室側壁面板３２と貯蔵室側壁面板３１の両方に設けたものを例示したが、これはいずれか一方側に設けただけのものであってもよく、特に限定されるものではない。
【００６２】
次に貯蔵室３，４を開閉する上記扉２０の構成を図１６〜図３２を用いて説明する。
【００６３】
図１６は冷蔵庫の扉を示す斜視図、図１７は同冷蔵庫の扉の分解斜視図、図１８は同冷蔵庫の扉をさらに細かく分解して示す分解斜視図、図１９は図１６のＣ−Ｃ断面図、図２０は同冷蔵庫のガスケット取付部分の分解斜視図、図２１は同冷蔵庫のガスケットと扉とを示す分解斜視図、図２２は同冷蔵庫の扉のガスケット取付部を示す断面図、図２３は同冷蔵庫の扉の操作表示部分を示す分解斜視図、図２４は同冷蔵庫の操作部ユニットの斜視図、図２５は同冷蔵庫の扉の操作表示部分を示す断面図、図２６は同冷蔵庫の扉軸支部分を示す分解斜視図、図２７（ａ）は同冷蔵庫の扉軸支部分の外箱と内箱とを示す分解斜視図、（ｂ）は同外箱にヒンジ支持金具を取り付けた状態を示す斜視図、（ｃ）は同外箱に内箱を組み込んだ状態を示す斜視図、図２８は同冷蔵庫の扉のヒンジ取付部分を示す半裁斜視図、図２９は同冷蔵庫の扉のヒンジ取付部分を拡大して示す半裁斜視図、図３０は同冷蔵庫の扉下部の軸支部分を底面側から見た斜視図、図３１は同冷蔵庫の扉下部のヒンジカバーを取り外した状態の軸支部分を示す斜視図、図３２は同冷蔵庫の扉の下端面部分を
示す斜視図である。
【００６４】
上記扉２０は既述したように内部が目視できるようにガラス板等の透光性の中央板２１を有している。図１６に示すように、扉２０の中央板２１は額縁状の縁枠５５によって保持されている。縁枠５５は、図１７、図１８に示すように、扉２０を閉じた状態で前記貯蔵室側に位置する樹脂製の内板５６と、前記内板５６とともに前記中央板２１を挟み込み保持する樹脂製の外板５７とを備えている。
【００６５】
外板５７は図１９に示すように内板５６側が開口する断面略コ字状に形成してあり、外周側の端縁には、全周にわたって凹状部５８が形成してある。また、内板５６は略平面状に形成してあり、外周側の端部には外箱側に突出する外周端縁を備えている。内板５６は、外周端縁を前記外板５７の凹状部５８に圧入しビス止め等して外板５７に固定してある。これにより、上記外板５７と内板５６とは中央板２１を挟持し、扉２０を構成している。内板５６と外板５７は、それぞれ、インジェクション成形によって成形された樹脂部材である。
【００６６】
なお、この実施の形態で示す扉２０は、図１７、図１８に示すように、前記外板５７の外面に縁枠５５と同様の額縁形状に形成したステンレス等からなる装飾板６７を嵌め込んでビス止めしている。装飾板６７は、縁枠５５の外板５７側の面と、側面とを覆っている。さらに装飾板６７の反貯蔵室側の面には、装飾用のガラス等からなる額縁状の透明前板６８を両面テープもしくは接着剤等によって装着している。これによって、扉２０に堅牢感と高級感を持たせてある。更に、上記外板５７と内板５６との間の中央板２１外周の空間には発泡スチロール等の断熱材５９を装填してある。これによって扉２０に断熱性を持たせてある。
【００６７】
また、上記内板５６は、図２０、図２１に示すように、貯蔵室３，４に面する側の面の周囲部の略全周に凹部６０を備えている。つまり、凹部６０は、内板５６の貯蔵室側の面に矩形状に設けられ、少なくとも４つの直線部を備えている。凹部６０の４つの直線部には、それぞれ、ガスケット保持部材６１が嵌め込まれている。ガスケット６２は、ガスケット保持部材６１を介して内板５６の貯蔵室側の面に、略矩形状に装着してある。
【００６８】
凹部６０の外面は、内板５６の外板５７に面する面から外板５７側に突出している。凹部６０の開口部分には、ガスケット保持部材６１を保持するための凸部６６が設けてある。凸部６６は、凹部６０の窪みを形成する側面のそれぞれに設けられ、開口面積を減少させる方向に側面から突出する。凸部６６は、凹部６０の直線部の長手方向に所定の間隔で設けられている。つまり、凹部６０の直前部の長手方向の全長にわたって設けられてない（図２５参照）。
【００６９】
ガスケット保持部材６１は、図２０〜図２２に示すように、断面がΩ（オメガ）形状の直線状の部材である。ガスケット保持部材６１は、押出し成形または引抜き成形で形成された樹脂部材である。ガスケット保持部材６１は、ガスケット６２を保持するガスケット保持凹部６３を備えている。ガスケット保持凹部６３は、貯蔵室側に開口した凹部である。ガスケット保持凹部６３の開口部分には、ガスケット６２が抜け落ちるのを防止するガスケット抜け防止用リブ６４が設けてある。ガスケット抜け防止用リブ６４は、ガスケット保持凹部６３の窪みを形成する側面のそれぞれに設けられ、開口面積を減少させる方向に側面から突出するリブである。ガスケット抜け防止用リブ６４は、ガスケット保持部材６１の長手方向の全長にわたって設けられる。
【００７０】
ガスケット保持部材６１は、反開口側の側面のそれぞれに固定用リブ６５を備えている。ガスケット保持凹部６３は、固定用リブ６５と内板５６の凸部６６とが係合することで、内板５６に装着してある。
【００７１】
ガスケット６２は、扉２０と冷蔵庫本体１との隙間を埋め、扉２０を閉じた状態で、扉２０を冷蔵庫本体１に密着させるシール部材である。
【００７２】
図２０、図２１を用いて、扉２０へのガスケット６２の取り付け方法について説明する。図２０に示すように、まず、扉２０の内板５６に、４つのガスケット保持部材６１を取り付ける。なお、図２０は、部分斜視図であるため、２つのガスケット保持部材６１しか図示していない。次に、図２１に示すように、ガスケット保持部材６１に、ガスケット６２を取り付ける。
【００７３】
さらに、上記扉２０の上部には既述したように操作表示部２３が設けてある。この操作表示部２３は、図２３に示すように、操作部ユニット７１を、扉２０の貯蔵室側から、扉２０に組み込んである。扉２０は、縁枠５５の上片部分に貯蔵室側の面から窪んだ操作部設置用凹所７０を備えている。操作部ユニット７１は、操作部設置用凹所７０に嵌め込み、その背面側（貯蔵室側）から蓋板７２で覆っている。蓋板７２は、扉２０にビスで止めてある。
【００７４】
上記操作部設置用凹所７０は、縁枠５５内の断熱材５９の一部を欠如して構成してある。そして、上記縁枠５５の外板５７、内板５６および装飾板６７のそれぞれは、前記操作部設置用凹所７０と対向する部分に開口部を備えている。内板５６の開口部は、操作部設置用凹所７０が有する開口となる。また、内板５６の開口部は、操作部ユニット７１を操作部設置用凹所７０に組み込むための、挿入口でもある。
【００７５】
上記操作部設置用凹所７０の貯蔵室側には、図２５に示すように、傾斜面７３ａと、傾斜面７３ａの下方に設けられた垂直面７３ｂとが設けてある。傾斜面７３ａは内板に設けられた開口部の下縁近傍から伸びる面であり、反貯蔵室側に向かうほど下がる面である。垂直面７３ｂは、後述する第２押圧片７４ｂの当接面である。操作部設置用凹所７０の底面の奥行き方向の長さは、操作部ユニット７１の前後方向長さ（第２押圧片７４ｂの高さを含まず）より長く、操作部ユニット７１の前面と第２押圧片７４ｂの先端までの長さと同等か若干短い。
【００７６】
扉２０の貯蔵室側には、傾斜面７３ａと対向する部分にガスケット保持部材６１が挿入される凹部６０が設けてある。つまり、扉２０の上側のガスケット６２は、操作部設置用凹所７０の下方に設けてある。
【００７７】
操作部ユニット７１の前面側（反貯蔵室側）には、表示用ＬＥＤ等の表示部と、静電容量の変化を検出する電極膜を有する入力部とが設けられている。図２４に示すように、操作部ユニット７１の背面側には、上部の両側のそれぞれに第１押圧片７４ａが設けてある。また、操作部ユニット７１の背面側の下部には、図２３に示すように、複数の第２押圧片７４ｂが設けてある。
【００７８】
第１押圧片７４ａは、貯蔵室側に凸に湾曲した、操作部ユニット７１の側面から突出する薄板である。第２押圧片７４ｂは、操作部ユニット７１の背面から貯蔵室側に突出する凸部である。第１押圧片７４ａは上記操作部設置用凹所７０の背面壁となる蓋板７２の内面に弾接し、第２押圧片７４ｂは操作部設置用凹所７０下部の垂直面７３ｂに弾接している。これにより、操作部ユニット７１は、その前面に有する電極膜が、透明前板６８の貯蔵室側の面に圧接される。特に、第１押圧片７４ａは、両端が保持された湾曲した薄板であるため、板バネのように作用し、確実に操作部ユニット７１を透明前板６８に応接できる。
【００７９】
扉２０への操作部ユニット７１の取り付け方法について説明する。まず、操作部設置用凹所７０の挿入口から、横倒しにした操作部ユニット７１の下部を挿入する。そして、傾斜面７３ａの傾斜にしたがって、操作部ユニット７１を斜めにしつつ、操作部ユニット７１の背面側の下部が垂直部７０ｂに達するまで挿入を進める。さらに、操作部ユニット７１の背面側の下部を中心として、操作部ユニット７１を立てる。その後、蓋板７２で操作部設置用凹所７０の挿入口を覆う。最後に、蓋板７２をビスで止める。
【００８０】
また、上記扉２０は、その上下をヒンジによって冷蔵庫本体１に軸支してある。扉２０の上部は図２６に示すように、冷蔵庫本体１の上部に上部ヒンジ７５ａを介して開閉自在に軸支してある。また、扉２０の下部は図３０に示すように、冷蔵庫本体１の下部に下部ヒンジ７５ｂを介して開閉自在に軸支してある。上部ヒンジ７５ａと下部ヒンジ７５ｂ、それぞれリンク機構を有するヒンジで構成してある。つまり、上部ヒンジ７５ａと下部ヒンジ７５ｂは、それぞれ、少なくとも２つのリンク部と、３つの回転軸を有するヒンジである。
【００８１】
図２８、図２９に示すように、上部ヒンジ７５ａは、内箱７の上端内面に固定したヒンジ取付金具７６に取付けてある。ヒンジ取付金具７６は、第１、第２取付部７６ａ、７６ｂを有するように、断面が略階段状に折り曲げられた金属製の板である。第１取付部７６ａは上部に設けられた水平方向の面であり、第２取付部７６ｂは、第１取付部７６ａより下方に設けられ、第１取付部７６の前端より前面側に位置する垂直方向の面である。
【００８２】
図２７に示すように、第１取付部７６ａは外箱６の天井面にビス７７で固定される。第２取付部７６ｂは、内箱７のヒンジ金具取付用フランジ面７ｂの内面に当接する。ヒンジ金具取付用フランジ面７ｂは、内箱７の上側のフランジ部の一部である。図２８、図２９に示すように、ヒンジ取付金具７６は、ヒンジ金具取付用フランジ面７ｂを介して、第２取付部７６ｂに、ビス７７で固定される。
【００８３】
これにより、外箱６と内箱７は上記ヒンジ取付金具７６によって一体に連結されることになる。
【００８４】
また、扉２０の下部を軸支する下部ヒンジ７５ｂは、図３０、図３１に示すように下部ヒンジ７５ｂの下面がヒンジカバー７８によって覆われている。ヒンジカバー７８は、下部ヒンジ７５ｂの下面を覆うカバー部と、カバー部と略垂直な面であって、内箱７の下側のフランジ面と略平行な面である、リード線規制面とを備えている。リード線規制面には、後述するリード線７９の移動範囲を規制する透孔８０を備えている。
【００８５】
下部ヒンジ７５ｂは、図３１に示すように、冷蔵庫本体１に固定される本体側固定部７５１と、扉２０側に固定される扉側固定部７５２とを備えている。本体側固定部７５１には、本体側回転軸７５３を介して、第１リンク部７５４が接続されている。扉側固定部７５２には、扉側回転軸７５５を介して、第２リンク部７５６が接続されている。第１リンク部７５４と第２リンク部７５６は、移動回転軸７５７を介して接続されている。扉２０を閉じた状態では、第１リンク部７５４と第２リンク部７５６は、重なり合う。扉２０を開いた状態では、第１リンク部７５４と第２リンク部７５６の長さに応じて、扉２０は冷蔵庫本体１から突出する。なお、上部ヒンジ７５ａは、下部ヒンジ７５ｂと同様の構造である。
【００８６】
このようなヒンジを用いることで、扉２０を閉じた状態では、図３２に示すように、扉２０の側面を、冷蔵庫本体１の側面と略一致させるとともに、扉２０を開いた状態でも、図３０に示すように、扉２０の側面を冷蔵庫本体１の前面側（冷蔵庫本体１の側面より内
側）に、位置させることができる。このため、システムキッチン等にビルトインされるアンダーカウンター式の冷蔵庫であっても、冷蔵庫に隣接して設置された機器、例えば、食器洗浄機等に干渉することなく、扉２０を開閉できる。
【００８７】
リード線７９は、扉２０の上部に設けた操作表示部２３と、冷蔵庫本体１の背面に設けた制御部（図示せず）とを電気的に接続する電線である。操作表示部２３からのリード線７９は図３２に示すように扉２０の底面に沿って下部ヒンジ７５ｂ部分まで配線される。リード線７９は、ヒンジカバーの透孔８０を通して冷蔵庫本体１の底面に引き込まれ、制御部（図示せず）に接続されている。
【００８８】
透孔８０は、リード線７９を冷蔵庫本体１に引き込む箇所において、リード線７９の左右方向の動きを規制する第１規制部である。透孔８０の冷蔵庫本体１の中央側の端部は、扉２０を閉じた状態における、移動回転軸７５７より冷蔵庫本体１の反中央部側に位置している。さらに、透孔８０の冷蔵庫本体１の中央側の端部は、扉２０を閉じた状態における、移動回転軸７５７と本体側固定部７５１とを結ぶ線分の中点より冷蔵庫本体１の反中央部側に位置していることが望ましい。
【００８９】
透孔８０の冷蔵庫本体１の反中央部側の端部は、本体側回転軸７５３より冷蔵庫本体１の中央側に位置している。
【００９０】
さらに、透孔８０の左右方向（冷蔵庫本体１の幅方向）の中心は、扉２０を全開した状態の扉２０の厚さ方向の中心を通る仮想的な線の延長線Ｘ上に位置することが望ましい（図３０参照）。なお、本実施の形態では、第１規制部は、透孔８０としてヒンジカバー７８に設けたが、直接、冷蔵庫本体１に設けてもよい。
【００９１】
また、前記透孔８０から引き込んだリード線７９は、冷蔵庫本体１の底面に設けたクリップ８１によって保持してある。クリップ８１は、リード線７９の軸方向（図３０におけるＹ方向）の動きを規制せず、リード線７９のその他の方向の動きを規制する第２規制部である。クリップ８１の冷蔵庫本体１の幅方向の位置は、扉２０を閉じた状態における、移動回転軸７５７より冷蔵庫本体１の中央側である。クリップ８１の冷蔵庫本体１の奥行き方向の位置は、下部ヒンジ７５ｂより冷蔵庫本体１の背面側である。
【００９２】
次に上記のように構成した冷蔵庫の作用効果について説明する。
【００９３】
まず、冷気の流れを説明する。冷気は、圧縮機２９の駆動により冷却器２６を設けた冷却室２５内で生成される。冷却室２５で生成した冷気は冷却ファン２７に吸引され、ダンパ装置３６を経由して第１透孔４３および第２透孔４４から第１吹出風路４７および第２吹出風路４８に供給される。
【００９４】
第１吹出風路４７および第２吹出風路４８に供給された冷気は、上吹出口５１ｂ、下吹出口５１ａから上側貯蔵室３、下側貯蔵室４に供給され、これら各貯蔵室３、４内のワインボトルを冷却する。
【００９５】
そして、上側貯蔵室３を冷却した後の冷気は上戻り口５２ｂから、また下側貯蔵室４を冷却した後の冷気は下戻り口５２ａから戻り風路５０に吸い込まれ、合流して冷気戻り口５２より冷却室２５へと回収され。
【００９６】
上記、各貯蔵室３、４に供給される冷気はダンパ装置３６によってそれぞれ別個に制御され、各貯蔵室３、４を所定温度に冷却する。
【００９７】
また、上記各貯蔵室３、４の冷却温度は扉２０の前面上部に設けた操作表示部２３をタッチ操作することによって設定することができる。また、操作表示部２３に表示される温度によって、各貯蔵室３、４の冷却温度を知ることもできる。
【００９８】
そして、上記各貯蔵室３、４内に収納したワインボトルは中央板２１を介して目視することができるので、ユーザは扉２０を開けて所望するワインボトルを探すことなく迅速に取り出すことができる。
【００９９】
ここで、上記冷蔵庫の扉２０は、透光性の中央板２１を額縁状の縁枠５５の外板５７と内板５６とによって挟み込み保持して構成してあるから、中央板２１を保持固定するための主要部品は縁枠５５の外板５７と内板５６だけとなって大幅に部品点数を削減することができる。しかも上記外板５７、内板５６は比較的安価なインジェクション成形によって製造できるので、部品製造コストも抑制することができる。
【０１００】
また、内板５６をインジェクション成形で形成し、内板５６に、外板５７側に突出する凹部６０と、凹部６０の窪みを形成する側面から突出するリブとを同時に形成するのは困難である。しかし、本実施の形態では、上記インジェクション成形では形成しがたい内板５６のガスケット保持構成は、インジェクション成形によって内板成型と同時に形成した凹部６０にガスケット保持部材６１を装着して構成している。
【０１０１】
したがって、部品点数が一点増えるものの、前記ガスケット保持部材６１は、断面形状が同一の直線状の部材であるため、安価な押出し成形によって形成できる。このため、部品点数増によるコストアップは最小限に抑制できる。よって、部品点数及び組み立て工数の削減と部品製造コストの削減により大幅なコストダウンが可能となる。なお、凸部６６は、凹部６０の開口部分に突出する構成であるが、凹部６０の全幅にわたって設けられたリブではなく、所定の間隔で設けられた突起であるため、インジェクション成形で容易に形成することができる。
【０１０２】
また、上記ガスケット保持部材６１は、ガスケット保持凹部６３の開口部分にガスケット抜け防止用リブ６４を有しているので、ガスケット６２を脱落させることなく強固に固定保持することができる。よって、確実なシール性能を保持することができる。また、ガスケット抜け防止用リブ６４は、ガスケット保持凹部６３の開口部分に突出する構成であるが、ガスケット保持部材に設けているため、押出し成形で容易に形成することができる。
【０１０３】
扉２０は、ヒンジを介して内板５６に取り付けると、外箱６の天面と扉２０の上面とを平行とするのが難しい、つまり、平行度の確保が難しいという課題がある。しかし、本実施の形態では、扉２０は、外箱６に連結したヒンジ取付金具７６に、内箱７を介して取り付けている。
【０１０４】
これによって、内箱７に扉２０を軸支していても、扉２０の外箱６に対する平行度が確保でき、外箱６に対し扉２０が傾く、というような課題を解消することができる。したがって、ビルトインタイプのような、扉２０の傾きが目立ちやすい冷蔵庫であっても、扉２０の傾きを確実に防止できる。その結果、冷蔵庫の品質が向上し、かつ、歩留まりが高まることによりコストダウンも推進することができる。
【０１０５】
また、扉２０の上部に設けた操作表示部２３は、その操作部ユニット７１の第１、第２押圧片７４ａ、７４ｂを操作部設置用凹所７０の内壁部分に弾接させて設置してあるから、操作表示部２３の電極膜は透明前板６８の内面に圧接されることになる。したがって、タッチ操作時の静電容量の検出精度を高めることができ、操作品質を向上させることができる。
【０１０６】
更に、上記操作部ユニット７１を設置する操作部設置用凹所７０は、操作部ユニット７１の背面側を傾斜面７３ａとしてあるから、傾斜面７３ａ後方に生じるデッドスペースを利用してガスケット６２を装着することができる。すなわち、操作部ユニット７１とガスケット６２をオーバラップさせて設置することができる。これにより、操作部ユニット７１とガスケット６２との設置スペースを縮小し、その分中央板２１を大きくして視認性を上げることができる。
【０１０７】
また、前記扉２０の内板５６に設けたガスケット６２は、貯蔵室３，４の開口部分と操作部ユニット７１との間に位置するように設けてあるから、貯蔵室３，４内の冷気が操作部ユニット７１の設置背面部分まで流れてこれを冷却するのを防止することができる。これにより、操作部ユニット７１の過度な冷却による結露発生等の障害を防止することができる。
【０１０８】
上記操作部ユニット７１から本体制御部へのリード線７９は、扉２０を開閉することで、屈曲する。また、扉２０を閉じた状態で必要なリード線の長さは、扉２０を開いた状態で必要なリード線の長さより短い。特に、リンク機構を有するヒンジを用いた場合には、扉２０を閉じた状態と開いた状態とで必要なリード線の長さの差は、大きくなる。これらの理由により、リード線７９に負荷がかかり、リード線７９が断線する虞がある。
【０１０９】
しかし、本実施の形態では、下部ヒンジ７５ｂのヒンジカバー７８に設けた透孔８０を通して冷蔵庫本体１の底面へと引き込み、その引き込み位置を規制している。このため、扉２０を閉じた状態で必要なリード線の長さと、開いた状態で必要なリード線の長さの差を小さくできる。また、扉２０の開閉によってリード線７９が延び縮みしてその長さ寸法に変化が生じても、この縮んで余った形となる部分のリード線７９が扉２０の端部と下部ヒンジ７５ｂとの間に咬みこまれるのを防止できる。
【０１１０】
すなわち、扉２０を閉じて、リード線７９が余る状態になっても、この寸法余りとなる部分のリード線７９は透孔８０により冷蔵庫本体１の中央側へ移動するのを規制され、透孔８０とクリップ８１を介して冷蔵庫本体１の底面側へと動くようになる。したがって、リンク機構を有するヒンジを用いて扉２０を軸支しリード線７９が大きく延び縮みするような場合であっても、リード線７９の屈曲による負荷や、リード線７９の咬み込みが抑制され、断線等を防止することができる。
【０１１１】
特に、透孔８０は、リード線７９の移動を移動回転軸７５７より冷蔵庫本体１の反中央部側に規制するので、リード線７９の屈曲量やたわみ量を縮小し、リード線７９の傷付をより確実に防止することができる。
【０１１２】
また、クリップ８１は、リード線７９の冷蔵庫本体１の奥行方向の移動を、下部ヒンジ７５ｂより冷蔵庫本体１の背面側に規制するとともに、リード線７９の軸方向の移動を許容する。これにより、扉２０の開閉によって生じるリード線７９の余剰部分が、下部ヒンジ７５ｂに噛み込まれるのを防止できる。
【０１１３】
特にこの実施の形態では、透孔８０は扉２０を全開した状態の扉２０の厚さ方向の中心を通る仮想的な線の延長線Ｘ上に設けられている。これにより、扉２０を閉じたときに生じるリード線７９の寸法余り部分は素直に透孔８０を摺動して冷蔵庫本体側に移動するようになり、ヒンジ部分での屈曲を抑制してリード線７９の傷付きをより確実に防止することができる。
【０１１４】
更に、前記扉２０の中央板２１は断熱性ガスを封入した多重構成とするとともに、前記中央板２１を挟み込み保持した縁枠５５の外板５７と内板５６との間の前記中央板外周部分には断熱材５９を設けてあるから、扉２０の断熱性が向上し、冷却性能の良い冷蔵庫とすることができる。
【０１１５】
なお、本実施の形態で開示した冷蔵庫は、一つの冷却室２５で生成した冷気を二つの貯蔵室３、４に供給して冷却する構成とし、各貯蔵室に供給する冷気はダンパ装置３６によって制御するようにしているので、各貯蔵室ごとに異なる温度帯に冷却することができる。しかも上記ダンパ装置３６は第１フラップ４０、第２フラップ４１によって各貯蔵室への冷気を個々に独立して制御するので、所定の温度に正確に冷却することができる。
【０１１６】
また、上記冷気を各貯蔵室３、４に供給する冷却ファン２７は周方向に送風する多翼ファン２７ａで構成しているので、前向きに吹出すプロペラファンのような前向きの風路を設ける必要がない。又、ダンパ装置３６もファンの前方に設ける必要がない。よって、冷却器２６と冷却ファン２７を設けた冷却室２５の前後方向の寸法を小さくでき、その分貯蔵室３、４の前後寸法を増大させて収納容量を大きなものとすることができる。
【０１１７】
特にこの冷蔵庫では、貯蔵室３，４と冷却室２５との間を仕切る壁面ユニット３０の冷却室側壁面板３２に第１透孔４３および第２透孔４４を設けて冷却ファン２７のダンパ装置３６と第１、第２吹出風路４７、４８を連通させてあるから、前後方向の寸法を更に小さなものとすることができる。すなわち、冷却ファン２７からの冷気は第１透孔４３および第２透孔４４を介して、それぞれ直接、第１吹出風路４７、第２吹出風路４８に供給される。したがって、冷却ファン２７と第１吹出風路４７および第２吹出風路４８との間をダクト部材等によって接続するものに比べ、冷却ファン２７と第１吹出風路４７、第２吹出風路４８との前後・上下両方向の位置関係を最小寸法にすることができる。これによって、貯蔵室３，４の収納容量を更に大きくすることができる。
【０１１８】
つまり、上記したような構成によって風路構成をコンパクト化でき、本体外形寸法の割に収納容量が大きく、かつ、高い冷却制御が可能な冷蔵庫とすることができる。
【０１１９】
また、上記冷却ファン２７のガイドケース３３は、吐出開口部３５を一カ所としている。当該吐出開口部３５は、ダンパ装置３６に覆われ、当該ダンパ装置３６の第１開口部３７と第２開口部３８を隣接形成している。このため、上記第１開口部３７と第２開口部３８それぞれに接続する第１吹出風路４７と第２吹出風路４８も隣接設置し、両者間の間隔を狭めることができる。これにより、本体横幅寸法を所定寸法内に抑えることができ、本体横幅寸法が規制されるアンダーカウンター式のワイン庫等としても容易に適用することができる。
【０１２０】
また、上記冷却ファン２７のガイドケース３３と前記ダンパ装置３６のケース４２とは一体化した構成としてあるから、部品点数の削減が図れる。しかも上記冷却ファン２７のガイドケース３３と前記ダンパ装置３６のケース４２を別体にして接続する構成とした場合に懸念される冷気漏れ等を防止できる。したがって、構成を簡素化しつつ品質を向上させることができる。
【０１２１】
一方、上記冷却ファン２７のガイドケース３３は、多翼ファン２７ａの外周を覆う側壁を、前記多翼ファン２７ａの回転軸を中心とするアルキメデス螺旋状に形成した構成としてあるから、多翼ファン２７ａから吐出する冷気の送風損失を最小限にでき、効率の良い冷却が可能となる。
【０１２２】
しかも上記冷却ファン２７の回転軸は、前記ダンパ装置３６の前記冷却ファン２７の回
転方向側に位置する開口部、本実施の形態では第２開口部３８側に偏らせて設けた構成としてあるから、ファン回転方向と反対側に偏って供給されがちな多翼ファン２７ａからの冷気を第１開口部３７及び第２開口部３８に略均等に供給することができる。これにより、各貯蔵室３，４を効率よく冷却することができる。
【０１２３】
また、上記のように構成しても冷気の偏りが残る傾向がある。したがって、本実施の形態では冷気が多く供給されがちな第１開口部３７に連通する第１吹出風路４７を、第２開口部３８に連通する第２吹出風路４８より長くしてある。これにより、冷気が多く供給される第１開口部３７側の風路抵抗が大きくなり、第１吹出風路４７及び第２吹出風路４８から吹出す冷気量をより均一化して各貯蔵室を効率よく冷却することができる。
【０１２４】
加えて、上記上側貯蔵室３からの冷気を戻り風路５０に戻す上戻り口５２ｂは前記第１吹出風路４７の左右に分散させて設けてあるから、上側貯蔵室３内の冷気は上側貯蔵室３の両側部分に分散するようになる。これによって、上側貯蔵室３の冷却を偏りの少ない均等なものとすることができる。
【０１２５】
また、上記第１吹出風路４７と第２吹出風路４８とが隣接する部分、及び第１吹出風路４７や第２吹出風路４８と戻り風路５０とが隣接する部分は、断熱層５４を有する多重壁構成としてあるから、各風路間での熱移動を最小限に抑制することができ、効率の良い冷却が可能となる。
【０１２６】
以上、本発明に係る冷蔵庫について、上記実施の形態を用いて説明してきたが、本発明は、これに限定されるものではなく、本発明の目的を達成する範囲内で種々変更可能であることは言うまでもない。
【０１２７】
例えばこの実施の形態の冷蔵庫はシステムキッチン等にビルトインされて使用されるアンダーカウンター式の冷蔵庫としたが、ビルトインされることなく使用される冷蔵庫であってもよく、またワイン保存に適した冷蔵庫として示したが、食材を冷却保存する普通の冷蔵庫であってもよいものである。
【０１２８】
また、この実施の形態では貯蔵室が二つの場合を例示したが、貯蔵室は二つ以上であってそのそれぞれの温度帯を異なるものとしてもよいものである。
【０１２９】
以上のように、今回開示した実施の形態はすべての点で例示であって制限的なものではないと考えられるべきである。つまり、本発明の範囲は上記した説明ではなくて特許請求の範囲によって示され、特許請求の範囲と均等の意味及び範囲内でのすべての変更が含まれることが意図される。
【産業上の利用可能性】
【０１３０】
以上のように本発明は、扉の部品点数及び組み立て工数の削減等を図って大幅なコストダウンを実現し安価に提供できる。よって、ワインセラーはもちろん、アンダーカウンター冷蔵庫等として一般用及び業務用を問わず幅広く適用できる。
【符号の説明】
【０１３１】
１  冷蔵庫本体
３  貯蔵室（上側貯蔵室）
４  貯蔵室（下側貯蔵室）
５  棚
６  外箱
６ａ  凹部
７  内箱
７ｂ  ヒンジ金具取付用フランジ面
８、９  照明ユニット
１１  台座
１２  照明基板
１３  ＬＥＤ
１４  カバー
１４ａ  前面カバー部
１４ｂ  側面カバー部
１５  係合リブ
１６  保持穴
２０  扉
２１  中央板
２２  把手
２３  操作表示部
３０  壁面ユニット
３１  貯蔵室側壁面板
３２  冷却室側壁面板
３３  ガイドケース
３６  ダンパ装置
３７  第１開口部
３８  第２開口部
４０  第１フラップ
４１  第２フラップ
４２  ケース
４３  第１透孔
４４  第２透孔
４５  風路形成用リブ
４６  風路形成用リブ
４７  第１吹出風路
４８  第２吹出風路
４９  戻り風路形成用リブ
５０  戻り風路
５１ａ  下吹出口
５１ｂ  上吹出口
５２ａ  下戻り口
５２ｂ  上戻り口
５２  冷気戻り口
５４  断熱層
５５  縁枠
５６  内板
５７  外板
５８  凹状部
５９  断熱材
６０  凹部
６１  ガスケット保持部材
６２  ガスケット
６３  ガスケット保持凹部
６４  ガスケット抜け防止用リブ
６５  固定用リブ
６６  凸部
６７  装飾板
６８  透明前板（前板）
７０  操作部設置用凹所
７１  操作部ユニット
７３ａ  傾斜面
７３ｂ  垂直面
７４ａ  第１押圧片
７４ｂ  第２押圧片
７５ａ  上部ヒンジ
７５ｂ  下部ヒンジ
７５１  本体側固定部
７５２  扉側固定部
７５３  本体側回転軸
７５４  第１リンク部
７５５  扉側回転軸
７５６  第２リンク部
７５７  移動回転軸
【図１】
2018146200.tif 000003
【図２】
2018146200.tif 000004
【図３】
2018146200.tif 000005
【図４】
2018146200.tif 000006
【図５】
2018146200.tif 000007
【図６】
2018146200.tif 000008
【図７】
2018146200.tif 000009
【図８】
2018146200.tif 000010
【図９】
2018146200.tif 000011
【図１０】
2018146200.tif 000012
【図１１】
2018146200.tif 000013
【図１２】
2018146200.tif 000014
【図１３】
2018146200.tif 000015
【図１４】
2018146200.tif 000016
【図１５】
2018146200.tif 000017
【図１６】
2018146200.tif 000018
【図１７】
2018146200.tif 000019
【図１８】
2018146200.tif 000020
【図１９】
2018146200.tif 000021
【図２０】
2018146200.tif 000022
【図２１】
2018146200.tif 000023
【図２２】
2018146200.tif 000024
【図２３】
2018146200.tif 000025
【図２４】
2018146200.tif 000026
【図２５】
2018146200.tif 000027
【図２６】
2018146200.tif 000028
【図２７】
2018146200.tif 000029
【図２８】
2018146200.tif 000030
【図２９】
2018146200.tif 000031
【図３０】
2018146200.tif 000032
【図３１】
2018146200.tif 000033
【図３２】
2018146200.tif 000034
【図３３】
2018146200.tif 000035